(57)【要約】【課題】接続されたブランチ機器がシンク機器であるディスプレイ装置からの電源供給を必要とする機器であるかどうかを、より簡単な手順で良好に判定することのできるディスプレイ装置を提供する。【解決手段】DisplayPort規格の映像インタフェースを有するディスプレイ装置において、判定用信号供給回路は、コネクタを通じて接続されたブランチ機器の端子（Ｐｉｎ１４）に判定用の信号を印加する。レベル評価回路は、判定用の信号の印加時にブランチ機器の端子（Ｐｉｎ１３）に現れる電圧を、ＧＮＤより高くかつ自身の第２の内部電源の電圧より低い範囲内で予め設定された互いに異なる２種類の基準電圧との比較により評価して、ブランチ機器がディスプレイ装置からの電源供給を必要とする機器であるか否かを一意に判定する。【選択図】図３
2012174203.tif 000002
【特許請求の範囲】
【請求項１】
シンク機器であるディスプレイ装置との接続用としての第１のコネクタを有するブランチ機器が前記ディスプレイ装置からの電源供給を必要としない場合に、ブランチ機器内の第１の内部電源と前記第１のコネクタにおいて予め決められた第１の端子との間にプルアップ抵抗が接続され、前記ディスプレイ装置からの電源供給を必要とする場合に前記第１の端子と前記第１のコネクタにおいて予め決められた第２の端子との間にショート抵抗が接続されることが規定されたブランチ機器の、前記第１のコネクタに対して接続可能な第２のコネクタと、
前記接続されたブランチ機器の前記第２の端子に判定用の信号を印加する判定用信号供給回路と、
前記第２の端子への前記判定用の信号の印加時に前記第１の端子に現れる電圧を、ＧＮＤより高くかつ自身の第２の内部電源の電圧より低い範囲内で予め設定された互いに異なる２種類の基準電圧との比較により評価し、当該ブランチ機器が前記ディスプレイ装置からの電源供給を必要とする機器であるか否かを判定するレベル評価回路と
を具備するディスプレイ装置。
【請求項２】
請求項１に記載のディスプレイ装置であって、
前記レベル評価回路は、前記第１の端子に現れる電圧が前記２種類の基準電圧間内であるとき、前記ブランチ機器が前記ディスプレイ装置からの電源供給を必要とする機器であることを判定し、前記第１の端子の電圧が前記２種類の基準電圧間外であるとき、前記ブランチ機器が前記ディスプレイ装置からの電源供給を必要としない機器であることを判定し、
前記ディスプレイ装置は、
前記ショート抵抗が接続されている場合に、前記第２の端子への前記判定信号の印加時に前記第１の端子に現れる電圧を前記２種類の基準電圧間内に設定する第１の抵抗分圧回路を、前記シュート抵抗と協働して構成する第１の分圧用抵抗と、
前記ブランチ機器内の第１の内部電源がＯＮで、前記プルアップ抵抗が接続されている場合に、前記第２の端子への前記判定用の信号の印加時に前記第１の端子に現れる電圧が前記２種類の基準電圧間外となるように設定する第２の抵抗分圧回路を、前記第１の分圧用抵抗と協働して構成する第２の分圧用抵抗と
をさらに具備するディスプレイ装置。
【請求項３】
請求項１または２に記載のディスプレイ装置であって、
前記接続されたブランチ機器への電源の供給のＯＮ／ＯＦＦを切り替えるスイッチ部をさらに具備し、
前記レベル評価回路は、前記第１の端子に現れる電圧が前記２種類の基準電圧間内であるとき、前記ブランチ機器への電源供給をＯＮにする第１のスイッチ制御信号を前記スイッチ部に供給し、前記第１の端子の電圧が前記２種類の基準電圧間外であるとき、前記ブランチ機器への電源の供給をＯＦＦにする第２のスイッチ制御信号を前記スイッチ部に供給する
ディスプレイ装置。
【請求項４】
請求項３に記載のディスプレイ装置であって、
前記レベル評価回路と前記スイッチ部との間に設けられた遅延回路をさらに具備する
ディスプレイ装置。
【請求項５】
請求項１ないし４のいずれか１項に記載のディスプレイ装置であって、
前記レベル評価回路は、リーク電流による前記第１の端子の電圧変化を防止するためのバッファ回路を有する
ディスプレイ装置。
【請求項６】
請求項１ないし５のいずれか１項に記載のディスプレイ装置であって、
電源ＯＮ状態からスタンバイ状態への移行に伴い、前記判定用の信号の供給を停止するように前記判定用信号供給回路を制御し、前記スタンバイ状態から前記電源ＯＮ状態への移行のとき、前記判定用の信号の供給を再開するように前記判定用信号供給回路を制御する制御部をさらに具備する
ディスプレイ装置。
【請求項７】
シンク機器であるディスプレイ装置との第１のコネクタを有するブランチ機器が前記ディスプレイ装置からの電源供給を必要としない場合に、ブランチ機器内の第１の内部電源と前記第１のコネクタにおいて予め決められた第１の端子との間にプルアップ抵抗が接続され、前記ディスプレイ装置からの電源供給を必要とする場合に前記第１の端子と前記第１のコネクタにおいて予め決められた第２の端子との間にショート抵抗が接続されることが規定されたブランチ機器の、前記第１のコネクタに対して前記ディスプレイ装置を接続し、
前記接続された前記ブランチ機器の前記第２の端子に前記ディスプレイ装置から判定用の信号を印加し、
前記第１の端子に現れる電圧を前記ディスプレイ装置内のレベル評価回路に取り込み、当該レベル評価回路にて、前記第１の端子の電圧を、ＧＮＤより高くかつ自身の第２の内部電源の電圧より低い範囲内で予め設定された互いに異なる２種類の基準電圧との比較により評価し、当該ブランチ機器が前記ディスプレイ装置からの電源供給を必要とする機器であるか否かを判定する
ディスプレイ装置に接続されたブランチ機器の電源供給要否判定方法。
【発明の詳細な説明】
【技術分野】
【０００１】
本発明は、DisplayPort規格の映像インタフェースを有するディスプレイ装置と、ディスプレイ装置に接続されたブランチ機器の電源供給要否判定方法に関する。
【背景技術】
【０００２】
モニタ、プロジェクタなどのディスプレイ装置のための映像インタフェースの規格としてDisplayPortがある。このDisplayPortでは、ソース機器としてのノート型パーソナルコンピュータとシンク機器としてのディスプレイ装置との内部接続は勿論、ソース機器としてのパーソナルコンピュータ、セットトップボックス、メディアプレーヤ、ゲーム機などの様々な機器とディスプレイ装置とのケーブルによる相互接続のためのインタフェースとして利用可能である。
また、シンク機器とソース機器の間にはブランチ機器として、例えば、分配機、スイッチャなどが接続されることがある。そしてこのブランチ機器には、自己の電源にて動作する機器と、ソース機器若しくはシンク機器より電源供給を受けて動作するものが存在している。
【０００３】
DisplayPort規格によると、ブランチ機器がシンク機器からの電源の供給を受けて動作されなければならない機器であるか、それともシンク機器からの電源の供給を必要としない機器であるかを判断する仕組みについて、次のような規定が設けられている。
Ａ．ブランチ機器がシンク機器からの電源供給を必要としない場合、ブランチ機器内において内部電源に対してプルアップ抵抗が接続される。
Ｂ．ブランチ機器がシンク機器からの電源供給を必要とする場合、ショート抵抗（＜１００Ω）がブランチ機器のコネクタの２つの端子（Ｐｉｎ１３，Ｐｉｎ１４）間に接続される。
Ｃ．シンク機器がブランチ機器のコネクタの端子（Ｐｉｎ１４）にプローブ電源を供給して、端子（Ｐｉｎ１３）が"Ｈ"レベルの状態であることを検出した場合には、ブランチ機器がシンク機器からの電源供給を必要とする機器であるとする。
Ｄ．シンク機器がブランチ機器のコネクタの端子（Ｐｉｎ１４）にプローブ電源を供給しない状態で、端子（Ｐｉｎ１３）が"Ｈ"レベルの状態であることを検出した場合には、ブランチ機器がシンク機器からの電源供給を必要としない機器であるとする。
【先行技術文献】
【非特許文献】
【０００４】
【非特許文献１】″VESA DisplayPort Standard (Version 1, Revision 1a)″3.2.1 DP_PWR User Detection Method、Page 147、［online］、２００８年１月1１日［平成２３年２月９日検索］、インターネット〈URL：http://hackipedia.org/Hardware/video/connectors/DisplayPort/VESA%20DisplayPort%20Standard%20v1.1a.pdf〉
【発明の概要】
【発明が解決しようとする課題】
【０００５】
DisplayPort規格においては、ブランチ機器がシンク機器からの電源の供給を受ける必要のあるかどうかを判断する仕組みにおいて、シンク機器がブランチ機器のコネクタの端子（Ｐｉｎ１４）にプローブ電源を供給した状態で端子（Ｐｉｎ１３）のレベルを検出する段階と、供給しない状態でその端子（Ｐｉｎ１３）のレベルを検出する段階が少なくとも必要となるなど、判定の手順が複雑になり、判定に時間がかかることなどが、課題として挙げられる。
【０００６】
以上のような事情に鑑み、本発明の目的は、接続されたブランチ機器がシンク機器であるディスプレイ装置からの電源供給を必要とする機器であるかどうかを、より簡単な手順で良好に判定することのできるディスプレイ装置と、ディスプレイ装置に接続されたブランチ機器の電源供給要否判定方法を提供することにある。
【課題を解決するための手段】
【０００７】
上記目的を達成するため、本発明の一形態に係るディスプレイ装置は、シンク機器であるディスプレイ装置との接続用としての第１のコネクタを有するブランチ機器が前記ディスプレイ装置からの電源供給を必要としない場合に、ブランチ機器内の第１の内部電源と前記第１のコネクタにおいて予め決められた第１の端子との間にプルアップ抵抗が接続され、前記ディスプレイ装置からの電源供給を必要とする場合に前記第１の端子と前記第１のコネクタにおいて予め決められた第２の端子との間にショート抵抗が接続されることが規定されたブランチ機器の、前記第１のコネクタに対して接続可能な第２のコネクタと、前記接続されたブランチ機器の前記第２の端子に判定用の信号を印加する判定用信号供給回路と、前記第２の端子への前記判定用の信号の印加時に前記第１の端子に現れる電圧を、ＧＮＤより高くかつ自身の第２の内部電源の電圧より低い範囲内で予め設定された互いに異なる２種類の基準電圧との比較により評価し、当該ブランチ機器が前記ディスプレイ装置からの電源供給を必要とする機器であるか否かを判定するレベル評価回路とを具備する。
【０００８】
本発明では、レベル評価回路にて、第１の端子に現れる電圧をＧＮＤより高くかつ自身の第２の内部電源の電圧より低い範囲内で予め設定された互いに異なる２種類の基準電圧との比較により評価することによって、接続されたブランチ機器がディスプレイ装置から電源供給を必要とする機器であるかどうかを一意に判定することができる。
【０００９】
本発明において、前記レベル評価回路は、前記第１の端子に現れる電圧が前記２種類の基準電圧間内であるとき、前記ブランチ機器が前記ディスプレイ装置からの電源供給を必要とする機器であることを判定し、前記第１の端子の電圧が前記２種類の基準電圧間外であるとき、前記ブランチ機器が前記ディスプレイ装置からの電源供給を必要としない機器であることを判定し、前記ディスプレイ装置は、前記ショート抵抗が接続されている場合に、前記第２の端子への前記判定信号の印加時に前記第１の端子に現れる電圧を前記２種類の基準電圧間内に設定する第１の抵抗分圧回路を前記シュート抵抗と協働して構成する第１の分圧用抵抗と、前記ブランチ機器内の第１の内部電源がＯＮで、前記プルアップ抵抗が接続されている場合に、前記第２の端子への前記判定用の信号の印加時に前記第１の端子に現れる電圧が前記２種類の基準電圧間外となるように設定する第２の抵抗分圧回路を前記第１の分圧用抵抗と協働して構成する第２の分圧用抵抗とをさらに具備するものであってもよい。これにより、第１の端子に現れる電圧を、２種類の基準電圧との比較により、より確実に評価することが可能になる。
【００１０】
本発明は、前記接続されたブランチ機器への電源の供給のＯＮ／ＯＦＦを切り替えるスイッチ部をさらに具備し、前記レベル評価回路は、前記第１の端子に現れる電圧が前記２種類の基準電圧間内であるとき、前記ブランチ機器への電源供給をＯＮにする第１のスイッチ制御信号を前記スイッチ部に供給し、前記第１の端子の電圧が前記２種類の基準電圧間外であるとき、前記ブランチ機器への電源の供給をＯＦＦにする第２のスイッチ制御信号を前記スイッチ部に供給するようにしてもよい。
【００１１】
本発明は、前記レベル評価回路と前記スイッチ部との間に設けられ遅延回路をさらに具備するものとしてもよい。これにより、ブランチ機器の接続／切り離し時やブランチ機器の電源ＯＮ／ＯＦＦの切り替え時などに第１の端子の電圧が"Ｈ"レベル（約Ｖｃｃレベル）から"Ｌ"レベル（約ＧＮＤレベル）のように大きく変動した場合にレベル評価回路の出力からその変動成分を排除することができ、信頼性の向上を図ることができる。
【００１２】
本発明において、前記レベル評価回路は、リーク電流による前記第１の端子の電圧の変化を抑制するためのバッファ回路を含むものとしてもよい。これにより、リーク電流によるレベル評価回路の誤動作を防止でき、信頼性の向上を図ることができる。
【００１３】
さらに、本発明は、電源ＯＮ状態からスタンバイ状態への移行に伴い、前記判定用の信号の供給を停止するように前記判定用信号供給回路を制御し、前記スタンバイ状態から前記電源ＯＮ状態への移行のとき、前記判定用の信号の供給を再開するように前記判定用信号供給回路を制御する制御部をさらに具備するものであってもよい。これによりブランチ機器またはソース機器が非稼動状態になったとき、ディスプレイ装置からブランチ機器への無駄な電源供給を停止することかできる。
【００１４】
本発明の別の形態に係るディスプレイ装置に接続されたブランチ機器の電源供給要否判定方法は、シンク機器であるディスプレイ装置との接続用としての第１のコネクタを有するブランチ機器が前記ディスプレイ装置からの電源供給を必要としない場合に、ブランチ機器内の第１の内部電源と前記第１のコネクタにおいて予め決められた第１の端子との間にプルアップ抵抗が接続され、前記ディスプレイ装置からの電源供給を必要とする場合に前記第１の端子と前記第１のコネクタにおいて予め決められた第２の端子との間にショート抵抗が接続されることが規定されたブランチ機器の、前記第１のコネクタに対して前記ディスプレイ装置を接続し、前記接続された前記ブランチ機器の前記第２の端子に前記ディスプレイ装置から判定用の信号を印加し、前記第１の端子に現れる電圧を前記ディスプレイ装置内のレベル評価回路に取り込み、当該レベル評価回路にて、前記第１の端子の電圧を、ＧＮＤより高くかつ自身の第２の内部電源の電圧より低い範囲内で予め設定された互いに異なる２種類の基準電圧との比較により評価し、当該ブランチ機器が前記ディスプレイ装置からの電源供給を必要とする機器であるか否かを判定することを特徴とする。
【発明の効果】
【００１５】
本発明によれば、接続されたブランチ機器がシンク機器であるディスプレイ装置からの電源供給を必要とする機器であるかどうかを、より簡単な手順で良好に判定することができるなど、信頼性の向上を図ることができる。
【図面の簡単な説明】
【００１６】
【図１】典型的な判定方式を採用したディスプレイ装置とこれに接続されるブランチ機器のDisplayPort接続部分の構成を示す図である。
【図２】図１の典型的なディスプレイ装置による判定手順を示すフローチャートである。
【図３】本発明の第１の実施形態に係るディスプレイ装置とこれに接続されるブランチ機器のDisplayPort接続部分の構成を示す図である。
【図４】第１の実施形態に係るディスプレイ装置の制御手順を示すフローチャートである。
【図５】本発明の第２の実施形態に係るディスプレイ装置とこれに接続されるブランチ機器のDisplayPort接続部分の構成を示す図である。
【図６】図５の遅延回路の構成例を示す図である。
【図７】本発明の第３の実施形態に係るディスプレイ装置とこれに接続されるブランチ機器のDisplayPort接続部分の構成を示す図である。
【図８】図７のバッファ回路の構成例を示す図である。
【図９】変形例１の判定手順を示すフローチャートである。
【図１０】変形例２の判定手順を示すフローチャートである。
【発明を実施するための形態】
【００１７】
本発明に係る実施形態を説明する前に、シンク機器であるディスプレイ装置に接続されたブランチ機器がディスプレイ装置からの電源供給を必要とする機器であるかどうかを判定する典型的な方式について説明する。
【００１８】
＜典型的な判定方式＞
図１は典型的な判定方式を採用したディスプレイ装置１００とこれに接続されるブランチ機器１０のDisplayPort接続部分の構成を示す図である。
ブランチ機器１０は、例えば、パーソナルコンピュータ、セットトップボックス、メディアプレーヤ、ゲーム機などのソース機器とシンク機器の間に接続される分配機、スイッチャーなどのデジタルコンテンツを供給可能な機器である。ディスプレイ装置１００は、例えばモニタ、プロジェクタなどのデジタル映像を可視化するための処理を行うことのできる機器である。ブランチ機器１０とディスプレイ装置１００はケーブル２０を通じて互いのコネクタ１１，１０１どうしが接続される。
【００１９】
ブランチ機器１０およびディスプレイ装置１００それぞれのコネクタ１１，１０１は、ブランチ機器１０の接続検出用の端子１２，１０２、ブランチ機器１０の電源ＯＮ／ＯＦＦの確認用の端子１３，１０３、ディスプレイ装置１００からブランチ機器１０に判定用の信号を印加するための端子１４，１０４、判定結果を得るための電圧の監視対象である端子１５，１０５、ディスプレイ装置１００からブランチ機器１０への電源供給用の端子１６，１０６を有する。ここで、ブランチ機器１０の端子１４はDisplayPort規格におけるコネクタのＰｉｎ１３、ブランチ機器１０の端子１５はDisplayPort規格におけるコネクタのＰｉｎ１４に相当する。各々のコネクタ１１，１０１は、上記の端子群のほか、データ信号及びその他の制御信号を伝送するための複数の端子（図示せず）を有する。
【００２０】
ブランチ機器１０がシンク機器からの電源供給を必要としない場合、ブランチ機器１０の内部電源Ｖｄｄと端子１５との間にプルアップ抵抗３０（例えば１００ｋΩ）が接続される。
ブランチ機器１０がディスプレイ装置１００からの電源供給を必要とする場合、ショート抵抗４０（＜１００Ω）が端子１４と端子１５との間に接続される。
【００２１】
［典型的な判定方式を採用したディスプレイ装置１００の構成］
シンク機器であるディスプレイ装置１００は、マイクロコンピュータ１２０、機器接続／電源ＯＮ検出部１３０、判定用信号供給回路１４０、Ｈレベル信号検出回路１５０、電源スイッチ１６０を有する。
【００２２】
（機器接続／電源ＯＮ検出部１３０）
機器接続／電源ＯＮ検出部１３０は、DisplayPortレシーバＩＣ１３１、プルアップ抵抗１３２、第１のコンデンサ１３３、プルダウン抵抗１３４、及び第２のコンデンサ１３５などで構成される。
【００２３】
DisplayPortレシーバＩＣ１３１の端子＃１とディスプレイ装置１００のコネクタ１０１の端子１０２との間にはプルアップ抵抗１３２の一端が接続されている。プルアップ抵抗１３２の他端はディスプレイ装置１００の内部電源Ｖｃｃと接続される。プルアップ抵抗１３２とDisplayPortレシーバＩＣ１３１の端子＃１との互いの接続点ｂは第１のコンデンサ１３３を介してDisplayPortレシーバＩＣ１３１の端子＃２と接続されている。一方、ブランチ機器１０のコネクタ１１の端子１５にはプルダウン抵抗３１の一端が接続されている。プルダウン抵抗３１の他端はＧＮＤに接続される。
【００２４】
この機器接続／電源ＯＮ検出部１３０によるブランチ機器１０の接続の検出は次のように行われる。なお、ディスプレイ装置１００の内部電源Ｖｃｃと、ブランチ機器１０の内部電源Ｖｄｄは互いに略等しい電圧とする。DisplayPortレシーバＩＣ１３１は、端子＃１の電位を接続検出信号Ａとして測定する。ディスプレイ装置１００にブランチ機器１０が接続されていないとき、端子＃１の電位はディスプレイ装置１００の内部電源Ｖｃｃの電圧値となる。ディスプレイ装置１００にブランチ機器１０が接続されると、ディスプレイ装置１００の内部電源Ｖｃｃから電流がプルアップ抵抗１３２、端子１０２、端子１２、及びプルダウン抵抗３１を通じてＧＮＤに流れる。これにより端子＃１の電圧値、すなわち、接続検出信号Ａのレベルが低下する。DisplayPortレシーバＩＣ１３１は、この低下した接続検出信号Ａのレベルによってディスプレイ装置１００にブランチ機器１０が接続されたことを検出する。以上が機器接続／電源ＯＮ検出部１３０によるブランチ機器１０の接続検出の動作である。
【００２５】
また、DisplayPortレシーバＩＣ１３１の端子＃３とディスプレイ装置１００のコネクタ１０１の端子１０３との間にはプルダウン抵抗１３４の一端が接続されている。プルダウン抵抗１３４の他端はＧＮＤに接続される。プルダウン抵抗１３４と端子＃３との互いの接続点ｃにて接続されている。一方、ブランチ機器１０のコネクタ１１の端子１６にはプルアップ抵抗３２の一端が接続されている。プルアップ抵抗３２の他端はブランチ機器１０の内部電源Ｖｄｄと接続される。
【００２６】
この機器接続／電源ＯＮ検出部１３０によるブランチ機器１０の電源ＯＮの検出は次のように行われる。DisplayPortレシーバＩＣ１３１は、端子＃３の電位を電源ＯＮ検出信号Ｂとして測定する。ディスプレイ装置１００にブランチ機器１０が接続されている場合であっても、ブランチ機器１０の内部電源ＶｄｄがＯＮになっていない場合には、端子＃３の電位は略０となる。ディスプレイ装置１００にブランチ機器１０が接続されている場合で、ブランチ機器１０の内部電源ＶｄｄがＯＮになっている場合には、ブランチ機器１０の内部電源Ｖｄｄから電流がプルアップ抵抗３２、端子１３、端子１０３、及びプルダウン抵抗１３４を通じてＧＮＤに流れる。これにより、プルアップ抵抗３２の抵抗値をＲ１、プルダウン抵抗１３４の抵抗値をＲ２とすると、端子＃３の電位は、Ｖｄｄ×（Ｒ２／（Ｒ１＋Ｒ２））となり、電源ＯＮ検出信号Ｂのレベルが上がる。DisplayPortレシーバＩＣ１３１は、この電源ＯＮ検出信号Ｂのレベルが閾値以上であることによってブランチ機器１０の電源がＯＮであることを判定し、閾値未満である場合にはブランチ機器１０の電源がＯＦＦであることを判定する。
【００２７】
そしてDisplayPortレシーバＩＣ１３１は、ディスプレイ装置１００にブランチ機器１０が接続されているかどうかを示す情報と、接続されたブランチ機器１０の電源がＯＮであるかどうかを示す情報を通信Ｃによりマイクロコンピュータ１２０に通知する。
【００２８】
（判定用信号供給回路１４０）
判定用信号供給回路１４０は、トランジスタ１４１、ベース抵抗１４２、プルアップ抵抗１４３、ダイオード１４４、保護抵抗１４５などで構成される。
トランジスタ１４１のベースはベース抵抗１４２を通じてマイクロコンピュータ１２０の判定制御信号出力端子（図示せず）と接続される。トランジスタ１４１のコレクタはプルアップ抵抗１４３を通じて内部電源Ｖｃｃと接続され、エミッタはＧＮＤと接続される。トランジスタ１４１のコレクタとプルアップ抵抗との互いの接続点ｄは、ダイオード１４４と保護抵抗１４５からなる直列回路を介してコネクタ１０１の端子１０４と接続されている。ダイオード１４４のアノードは接続点ｄと接続される。ダイオード１４４は、例えばディスプレイ装置１００の内部電源ＶｃｃがＯＦＦのとき、ブランチ機器１０からディスプレイ装置１００への電流の流入を防止するように働く。
【００２９】
判定制御信号Ｅが"Ｈ"レベルとき、トランジスタ１４１がＯＮ状態となることでダイオード１４４が非導通状態になる。また、判定制御信号Ｅが"Ｌ"レベルのときは、トランジスタ１４１がＯＦＦ状態となる。これにより、ブランチ機器１０にショート抵抗４０が接続されている場合には、ディスプレイ装置１００の内部電源Ｖｃｃから判定用の信号がプルアップ抵抗１４３、ダイオード１４４、保護抵抗１４５、端子１０４、端子１４、ショート抵抗４０、端子１５、端子１０５、Ｈレベル信号検出回路１５０内の保護抵抗１５１、プルダウン抵抗１５２、ＧＮＤの経路で流れる。
【００３０】
（Ｈレベル信号検出回路１５０）
Ｈレベル信号検出回路１５０は、保護抵抗１５１、プルダウン抵抗１５２、トランジスタ１５３、プルアップ抵抗１５４で構成される。
【００３１】
保護抵抗１５１はコネクタ１０１の端子１０５とトランジスタ１５３のベースとの間に接続される。保護抵抗１５１とトランジスタ１５３のベースとの互いの接続点ｊはプルダウン抵抗１５２を介してＧＮＤと接続される。トランジスタ１５３のコレクタはプルアップ抵抗１５４を介して内部電源Ｖｃｃと接続され、エミッタはＧＮＤと接続される。そしてトランジスタ１５３のコレクタとプルアップ抵抗１５４との互いの接続点ｅはマイクロコンピュータ１２０の判定信号入力端子（図示せず）と接続される。
【００３２】
判定用の信号がプルアップ抵抗１４３、ダイオード１４４、保護抵抗１４５、端子１０４、端子１４、ショート抵抗４０、端子１５、端子１０５、Ｈレベル信号検出回路１５０内の保護抵抗１５１、プルダウン抵抗１５２、ＧＮＤの経路で流れるとき、トランジスタ１５３がＯＮ状態になることによって接続点ｅからマイクロコンピュータ１２０の判定信号入力端子（図示せず）に供給される判定信号Ｄは"Ｌ"レベルとなる。また、ブランチ機器１０の内部電源Ｖｄｄからプルアップ抵抗３０、端子１５、端子１０５、保護抵抗１５１、プルダウン抵抗１５２、ＧＮＤの経路で流れるときも同様にトランジスタ１５３がＯＮ状態になることによって"Ｌ"レベルの判定信号Ｄがマイクロコンピュータ１２０に入力される。その他の場合はトランジスタ１５３がＯＦＦ状態になることで接続点ｅからマイクロコンピュータ１２０の判定信号入力端子（図示せず）に供給される判定信号Ｄのレベルが"Ｈ"になる。
【００３３】
（マイクロコンピュータ１２０）
マイクロコンピュータ１２０は、判定制御信号Ｅを"Ｈ"レベルとした状態では、判定信号Ｄが"Ｌ"レベルであるとき電源スイッチ制御信号Ｆを"Ｌ"レベルとし、判定信号Ｄが"Ｈ"レベルであるときは判定制御信号Ｅを"Ｈ"レベルから"Ｌ"レベルに切り替えるように制御を行う。また、マイクロコンピュータ１２０は、判定制御信号Ｅを"Ｌ"レベルとした状態において、判定信号Ｄが"Ｌ"レベルであるとき電源スイッチ制御信号Ｆを"Ｈ"レベルとし、逆に判定信号Ｄが"Ｈ"レベルであるとき電源スイッチ制御信号Ｆを"Ｌ"レベルとするように制御を行う。
【００３４】
（電源スイッチ１６０）
電源スイッチ１６０は、マイクロコンピュータ１２０より"Ｌ"レベルの電源スイッチ制御信号Ｆを入力したときブランチ機器１０への電源供給をＯＦＦ状態とし、マイクロコンピュータ１２０より"Ｈ"レベルの電源スイッチ制御信号Ｆを入力したときブランチ機器１０へ電源供給をＯＮ状態にする。
【００３５】
［典型的な判定手順］
図２は典型的なディスプレイ装置による判定手順を示すフローチャートである。
なお、初期状態において、判定制御信号Ｅは"Ｈ"レベルである。
【００３６】
まず、マイクロコンピュータ１２０は、ディスプレイ装置１００の電源（内部電源Ｖｃｃ）がＯＮになったときに（ステップＳ１０１のＹ）、機器接続／電源ＯＮ検出部１３０にブランチ機器１０の接続の検出とブランチ機器１０の電源ＯＮ／ＯＦＦの検出を実行させる。機器接続／電源ＯＮ検出部１３０は、それぞれの検出結果をマイクロコンピュータ１２０に通知する。
【００３７】
ブランチ機器１０が接続されていない場合（ステップＳ１０２のＮ）、マイクロコンピュータ１２０は、"Ｌ"レベルの電源スイッチ制御信号Ｆを電源スイッチ１６０に出力する（ステップＳ１０３）。電源スイッチ１６０は、この"Ｌ"レベルの電源スイッチ制御信号Ｆを受けてブランチ機器１０への電源供給をＯＦＦ状態にする。一方、ブランチ機器１０が接続されている場合（ステップＳ１０２のＹ）、マイクロコンピュータ１２０は、ブランチ機器１０の電源がＯＮであるかＯＦＦであるかによって、次のように異なる処理を行う。
【００３８】
ブランチ機器１０の電源がＯＦＦである場合（ステップＳ１０３のＮ）、マイクロコンピュータ１２０は、判定制御信号Ｅを"Ｌ"レベルにする（ステップＳ１０４）。次にマイクロコンピュータ１２０は、Ｈレベル信号検出回路１５０の判定信号Ｄのレベルを調べる。ここで、ブランチ機器１０にショート抵抗４０が接続されていない状態においては判定信号Ｄが"Ｈ"レベルとなる。この場合（ステップＳ１０５のＮ）、マイクロコンピュータ１２０は、ブランチ機器１０への電源供給をしないように電源スイッチ制御信号Ｆを"Ｌ"レベルにする（ステップＳ１０６）。これに対し、ブランチ機器１０にショート抵抗４０が接続されているとき判定信号Ｄは"Ｌ"レベルとなる。この場合には（ステップＳ１０５のＹ）、マイクロコンピュータ１２０は、ブランチ機器１０への電源供給を行うように電源スイッチ制御信号Ｆを"Ｈ"レベルにする（ステップＳ１０７）。
【００３９】
ブランチ機器１０の電源がＯＮである場合（ステップＳ１０３のＹ）、マイクロコンピュータ１２０は、判定制御信号Ｅを"Ｈ"レベルのままにしてＨレベル信号検出回路１５０の判定信号Ｄを調べる（ステップＳ１０８）。ブランチ機器１０の電源がＯＮで、かつブランチ機器１０にプルアップ抵抗３０が接続されているとき判定信号Ｄが"Ｌ"レベルになる。この場合には（ステップＳ１０８のＮ）、マイクロコンピュータ１２０は、ブランチ機器１０への電源供給が行われないように電源スイッチ制御信号Ｆを"Ｌ"レベルにする（ステップＳ１０９）。一方、ブランチ機器１０の電源がＯＮであってもブランチ機器１０にプルアップ抵抗３０が接続されていないときは判定信号Ｄが"Ｈ"レベルになる。この場合には（ステップＳ１０８のＹ）、マイクロコンピュータ１２０は、判定制御信号Ｅを"Ｌ"レベルにする（ステップＳ１１０）。この後、マイクロコンピュータ１２０は、再びＨレベル信号検出回路１５０の判定信号Ｄを調べる（ステップＳ１１１）。判定信号Ｄが"Ｈ"レベルである場合（ステップＳ１１１のＮ）、マイクロコンピュータ１２０は、ブランチ機器１０への電源供給が行われないように電源スイッチ制御信号Ｆを"Ｌ"レベルにする（ステップＳ１１２）。判定信号Ｄが"Ｌ"レベルである場合（ステップＳ１１１のＹ）、マイクロコンピュータ１２０は、ブランチ機器１０への電源供給が行われるように電源スイッチ制御信号Ｆを"Ｈ"レベルにする（ステップＳ１１３）。
【００４０】
ディスプレイ装置１００の電源がＯＦＦになると（ステップＳ１１４のＮ）、マイクロコンピュータ１２０は、電源スイッチ制御信号Ｆを"Ｌ"レベル、判定制御信号Ｅを初期の"Ｈ"レベルにする（ステップＳ１１５、Ｓ１１６）。
【００４１】
（プルアップ抵抗３０とショート抵抗４０が共に接続されている場合）
例外的なケースとして、ブランチ機器１０にプルアップ抵抗３０とショート抵抗４０が接続されている場合が考えられる。この場合には、マイクロコンピュータ１２０によって電源スイッチ１６０を通じてブランチ機器１０に電源が供給されるように制御が行われる可能性がある。そのために、ブランチ機器１０のプルアップ抵抗３０の抵抗値に対して判定用信号供給回路１４０のプルアップ抵抗１４３の抵抗値が十分大きい値に設定されている。このためブランチ機器１０の電源がＯＦＦであるとき、判定制御信号Ｅを"Ｌ"レベルにしてもトランジスタ１５３がＯＮにならず、判定信号Ｄは"Ｈ"レベルのままとなる。したがって、マイクロコンピュータ１２０はブランチ機器１０が電源供給を必要としない機器であることを正しく判断して、"Ｌ"レベルの電源スイッチ制御信号Ｆを電源スイッチ１６０に供給するとともに、判定制御信号Ｅを"Ｌ"レベルから初期の"Ｈ"レベルに切り替える。
【００４２】
また、判定用信号供給回路１４０のダイオード１４４が無い場合には、ブランチ機器１０のプルアップ抵抗３０の抵抗値に対して、判定用信号供給回路１４０の保護抵抗１４５の抵抗値を若干高く設定しておくことで、ブランチ機器１０の電源がＯＮであるとき、トランジスタ１５３がＯＮになって判定信号Ｄが"Ｌ"レベルとなる。これにより、ブランチ機器１０の電源がＯＦＦであるときと同様に、マイクロコンピュータ１２０はブランチ機器１０が電源供給を必要としない機器であることを正しく判断することができる。また、判定用信号供給回路１４０のダイオード１４４は、プルアップ抵抗３０の抵抗値として十分大きな抵抗値を想定した場合に、プルアップ抵抗３０と保護抵抗１４５の抵抗値の違いによる動作の不確実を回避するためのものである。
【００４３】
なお、ディスプレイ装置１００からブランチ機器１０へ電源供給を行わない状態にて、ブランチ機器１０の電源がONになっている場合には、ディスプレイ装置１００からの電源供給が不要であると判定できるので、上述した一連の判定処理を省くことが可能である。
【００４４】
＜第１の実施形態＞
上記の典型的なディスプレイ装置１００では、電源スイッチ１６０のＯＮ／ＯＦＦの状態を設定するために、マイクロコンピュータ１２０が図２に示したような複雑な手順を実行しなければならない。本発明に係る第１の実施形態は、そのような複雑な手順を排除することを可能にしたものである。
【００４５】
図３は本発明の第１の実施形態に係るディスプレイ装置とこれに接続されるブランチ機器のDisplayPort接続部分の構成を示す図である。
ブランチ機器１０の構成は図１の典型例のものと同じであり、ディスプレイ装置２００の一部の構成が図１の典型例のものに対して異なる。ディスプレイ装置２００の他の部分の構成は図１の典型例のものと同じである。なお、同図に示すディスプレイ装置２００において、図１の典型例と同一の部分には２００番台の対応する符号が付されている。
【００４６】
本実施形態のディスプレイ装置２００において、典型例のディスプレイ装置１００に対して異なる部分は以下である。
１．レベル評価回路２５０（図１のＨレベル信号検出回路１５０に代わる構成）
２．マイクロコンピュータ２２０の制御手順
そこで、まずレベル評価回路２５０の構成から説明する。
【００４７】
（１．レベル評価回路２５０の構成）
レベル評価回路２５０は、保護抵抗２５１、プルダウン抵抗２５２、ウインドウコンパレータ２５３、保護抵抗２５９ａおよびプルアップ抵抗２５９ｂを有する。
【００４８】
保護抵抗２５１は、コネクタ２０１の端子２０５とウインドウコンパレータ２５３との間に接続される。保護抵抗２５１とウインドウコンパレータ２５３との互いの接続点ｊはプルダウン抵抗２５２を介してＧＮＤと接続される。
【００４９】
ウインドウコンパレータ２５３は、内部電源ＶｃｃとＧＮＤとの間にそれぞれ直列に接続された分圧用抵抗２５４、分圧用抵抗２５５、分圧用抵抗２５６と、第１のコンパレータ２５７および第２のコンパレータ２５８とで構成される。分圧用抵抗２５４と分圧用抵抗２５５との互いの接続点ｇは第２のコンパレータ２５８の正の入力端子と接続される。第２のコンパレータ２５８の負の入力端子は保護抵抗２５１とプルダウン抵抗２５２との互いの接続点ｊと接続される。一方、分圧用抵抗２５５と分圧用抵抗２５６との互いの接続点ｈは第１のコンパレータ２５７の負の入力端子と接続される。第１のコンパレータ２５７の正の入力端子は保護抵抗２５１とプルダウン抵抗２５２との互いの接続点ｊと接続される。
【００５０】
第１のコンパレータ２５７および第２のコンパレータ２５８のそれぞれの出力端子は互いに接続点ｉで接続される。接続点ｉは保護抵抗２５９ａを通じて電源スイッチ２６０と接続されるとともに、保護抵抗２５９ａと電源スイッチ２６０との互いの接続点ｋはプルアップ抵抗２５９ｂを通じて内部電源Ｖｃｃと接続される。
【００５１】
ウインドウコンパレータ２５３は、保護抵抗２５１とプルダウン抵抗２５２との互いの接続点ｊの電圧を（第１の端子の電圧）を、３つの分圧用抵抗２５４、２５５、２５６を用いてつくられる２種類の基準電圧との比較により評価する。すなわち、分圧用抵抗２５４、分圧用抵抗２５５、分圧用抵抗２５６の抵抗値をそれぞれＲ１、Ｒ２、Ｒ３とすると、第１のコンパレータ２５７の出力は、評価対象である接続点ｊの電圧が第１の基準電圧である"Ｖｃｃ（Ｒ３／（Ｒ１＋Ｒ２＋Ｒ３））"がより高い場合に"Ｈ"レベルとなり、その他の場合には"Ｌ"レベルとなる。一方、第２のコンパレータ２５８の出力は、第２の基準電圧である"Ｖｃｃ（（Ｒ２＋Ｒ３）／（Ｒ１＋Ｒ２＋Ｒ３））"が評価対象である接続点ｊの電圧より高い場合に"Ｈ"レベルとなり、その他の場合には"Ｌ"レベルとなる。第１のコンパレータ２５７と第２のコンパレータ２５８の２出力はワイアードＯＲとなっている。したがって、第１のコンパレータ２５７と第２のコンパレータ２５８の２出力がともに"Ｈ"レベルであるときウインドウコンパレータ２５３の出力は"Ｈ"レベルとなり、その他の場合には"Ｌ"レベルとなる。
【００５２】
ウインドウコンパレータ２５３において、分圧用抵抗２５４、分圧用抵抗２５５、分圧用抵抗２５６の各抵抗値Ｒ１、Ｒ２、Ｒ３は例えば共通とすることができる。この場合、第１の基準電圧は"Ｖｃｃ（１／３）"、第２の基準電圧は"Ｖｃｃ（２／３）"となる。
【００５３】
レベル評価回路２５０のプルダウン抵抗２５２の抵抗値はブランチ機器１０のプルアップ抵抗３０の抵抗値より十分大きい値に設定されている。これにより、ブランチ機器１０にプルアップ抵抗３０が接続され、かつブランチ機器１０の電源がＯＮの時にはブランチ機器１０の内部電源Ｖｄｄの電圧に略等しい電圧がウインドウコンパレータ２５３に印加される。すなわち、プルアップ抵抗３０とプルダウン抵抗２５２（第２の分圧用抵抗）は、ブランチ機器１０にプルアップ抵抗３０が接続され、かつブランチ機器１０の電源がＯＮのときに、ウインドウコンパレータ２５３への入力電圧を約"Ｖｄｄ"に設定するための抵抗分圧回路（第２の抵抗分圧回路）として働く。
【００５４】
また、レベル評価回路２５０のプルダウン抵抗２５２の抵抗値と判定用信号供給回路２４０のプルアップ抵抗２４３の抵抗値を略同じ値にすることによって、ブランチ機器１０にショート抵抗４０が接続されているとき、約"Ｖｃｃ（１／２）"の電圧がウインドウコンパレータ２５３に入力電圧として印加される。すなわち、プルダウン抵抗２５２（第２の分圧用抵抗）とプルアップ抵抗２４３（第１の分圧用抵抗）は、ブランチ機器１０にショート抵抗４０が接続されているときに、ウインドウコンパレータ２５３への入力電圧を約"Ｖｃｃ（１／２）"に設定するための抵抗分圧回路（第１の抵抗分圧回路）として働く。
【００５５】
ウインドウコンパレータ２５３の出力は電源スイッチ制御信号Ｆとして電源スイッチ２６０に供給される。
電源スイッチ２６０は、ウインドウコンパレータ２５３より"Ｌ"レベルの電源スイッチ制御信号Ｆを入力したときブランチ機器１０への電源供給をＯＦＦとし、"Ｈ"レベルの電源スイッチ制御信号Ｆを入力したときブランチ機器１０へ電源供給をＯＮにする。
【００５６】
［２．マイクロコンピュータ２２０の制御手順］
次に、ディスプレイ装置２００内のマイクロコンピュータ２２０の制御手順を説明する。
図４はマイクロコンピュータ２２０の制御手順を示すフローチャートである。
本実施形態の場合のマイクロコンピュータ２２０の制御手順は上述した典型例と比較して非常に単純である。
なお、初期状態において、判定制御信号Ｅのレベルは"Ｈ"である。
【００５７】
まず、マイクロコンピュータ２２０は、ディスプレイ装置２００の電源がＯＮになったときに（ステップＳ２０１のＹ）、ブランチ機器１０が接続されているかどうかの検出を機器接続／電源ＯＮ検出部２３０に実行させる。機器接続／電源ＯＮ検出部２３０は、その検出結果を通信Ｃによりマイクロコンピュータ２２０に通知する。なお、機器接続／電源ＯＮ検出部２３０に、接続されたブランチ機器１０の電源がＯＮであるかどうかを検出させること、あるいは検出結果をマイクロコンピュータ２２０が取得することは本実施形態では不要である。
【００５８】
続いて、マイクロコンピュータ２２０は判定制御信号Ｅのレベルを"Ｈ"から"Ｌ"に切り替える（ステップＳ２０２）。そして以後、マイクロコンピュータ２２０はディスプレイ装置２００の電源がＯＦＦになったことを検出すると（ステップＳ２０３のＹ）、判定制御信号Ｅのレベルを"Ｌ"から"Ｈ"に切り替える（ステップＳ２０４）。
以上がマイクロコンピュータ２２０の制御手順である。
【００５９】
［判定制御信号Ｅのレベルが"Ｌ"に切り替えられてからの動作］
次に、第１の基準電圧を"Ｖｃｃ（１／３）"、第２の基準電圧を"Ｖｃｃ（２／３）"、ブランチ機器１０の電源がＯＮであってプルアップ抵抗３０が接続されているときに接続点ｊに現れる電圧（ウインドウコンパレータ２５３への入力電圧）を"Ｖｄｄ"、ブランチ機器１０にショート抵抗４０が接続されているときに接続点ｊに現れる電圧を"Ｖｃｃ（１／２）"とした場合を想定して、ディスプレイ装置２００が、ブランチ機器１０への電源供給のＯＮ／ＯＦＦを設定するときの動作を説明する。
【００６０】
動作の説明は以下の状態について順に行う。
１．ブランチ機器１０の電源がＯＦＦで、プルアップ抵抗３０が接続されている場合、
２．ブランチ機器１０の電源がＯＦＦまたはＯＮで、ショート抵抗４０が接続されている場合、
３．ブランチ機器１０の電源がＯＮで、プルアップ抵抗３０が接続されている場合、
４．プルアップ抵抗３０とショート抵抗４０の両方が接続されている場合、
５．ブランチ機器１０が接続されていない場合、
６．ブランチ機器１０の電源がＯＦＦまたはＯＮで、プルアップ抵抗３０とショート抵抗４０の両方が接続されていない場合。
【００６１】
（１．ブランチ機器１０の電源がＯＦＦで、プルアップ抵抗３０が接続されている場合）
ブランチ機器１０にプルアップ抵抗３０が接続されていてもブランチ機器１０の電源がＯＦＦである場合には、接続点ｊの電位つまりウインドウコンパレータ２５３の入力電圧は略"ＧＮＤ"のレベルとなる。
【００６２】
したがって、
第２の基準電圧（Ｖｃｃ（２／３））＞ＧＮＤ
となることで第２のコンパレータ２５８の出力は"Ｈ"レベルになるものの、
第１の基準電圧（Ｖｃｃ（１／３））＞ＧＮＤ
となるため、第１のコンパレータ２５７の出力は"Ｌ"レベルになり、ウインドウコンパレータ２５３の出力である電源スイッチ制御信号Ｆは"Ｌ"レベルになる。この結果、電源スイッチ２６０においてブランチ機器１０への電源供給はＯＦＦ状態になる。
【００６３】
（２．ブランチ機器１０の電源がＯＦＦまたはＯＮで、ショート抵抗４０が接続されている場合）
ブランチ機器１０にショート抵抗４０が接続されている場合、ウインドウコンパレータ２５３への入力電圧は"Ｖｃｃ（１／２）"となる。
したがって、
第１の基準電圧（Ｖｃｃ（１／３））＜Ｖｃｃ（１／２）
が成立して、第１のコンパレータ２５７の出力は"Ｈ"レベルになるとともに、
第２の基準電圧（Ｖｃｃ（２／３））＞Ｖｃｃ（１／２）
が成立することで第２のコンパレータ２５８の出力も"Ｈ"レベルになり、ウインドウコンパレータ２５３の出力である電源スイッチ制御信号Ｆは"Ｈ"レベルになる。この結果、電源スイッチ２６０においてブランチ機器１０への電源供給はＯＮ状態になる。
【００６４】
（３．ブランチ機器１０の電源がＯＮで、プルアップ抵抗３０が接続されている場合）
ブランチ機器１０の電源がＯＮで、プルアップ抵抗３０が接続されている場合、
第２の基準電圧（Ｖｃｃ（２／３））＜Ｖｄｄ
となって第２のコンパレータ２５８の出力は"Ｌ"レベルになることから、ウインドウコンパレータ２５３の出力である電源スイッチ制御信号Ｆは"Ｌ"レベルになり、電源スイッチ２６０においてブランチ機器１０への電源供給はＯＦＦ状態になる。
【００６５】
（４．プルアップ抵抗３０とショート抵抗４０の両方が接続されている場合）
例外的なケースとして、ブランチ機器１０にプルアップ抵抗３０とショート抵抗４０の両方が接続されている場合について説明する。レベル評価回路２５０のプルダウン抵抗２５２の抵抗値はプルアップ抵抗３０の抵抗値に対して十分大きい値に設定されている。このためブランチ機器１０の電源がＯＦＦである場合は、判定制御信号Ｅが"Ｌ"レベルのとき、
第１の基準電圧（Ｖｃｃ（１／３））＞入力電圧
となることで第１のコンパレータ２５７の出力は"Ｌ"レベルになり、ウインドウコンパレータ２５３の出力である電源スイッチ制御信号Ｆは"Ｌ"レベルになる。この結果、電源スイッチ２６０においてブランチ機器１０への電源供給はＯＦＦ状態になる。
【００６６】
また、ブランチ機器１０にプルアップ抵抗３０とショート抵抗４０の両方が接続され、かつブランチ機器１０の電源がＯＮである場合は、判定制御信号Ｅが"Ｌ"レベルのとき、
第２の基準電圧（Ｖｃｃ（２／３））＜Ｖｄｄ
となって第２のコンパレータ２５８の出力は"Ｌ"レベルになり、ウインドウコンパレータ２５３の出力である電源スイッチ制御信号Ｆは"Ｌ"レベルになる。この結果、電源スイッチ２６０においてブランチ機器１０への電源供給はやはりＯＦＦ状態になる。
【００６７】
さらに、判定制御信号Ｅが"Ｈ"レベルのときも、
第１の基準電圧（Ｖｃｃ（１／３））＞入力電圧
となることで第１のコンパレータ２５７の出力は"Ｌ"レベルになり、ウインドウコンパレータ２５３の出力である電源スイッチ制御信号Ｆは"Ｌ"レベルになる。この結果、電源スイッチ２６０においてブランチ機器１０への電源供給はＯＦＦ状態になる。
【００６８】
（５．ブランチ機器１０が接続されていない場合）
ブランチ機器１０が接続されていない場合には、プルダウン抵抗２５２によって接続点ｊの電位は"ＧＮＤ"にプルダウンされることから、
第１の基準電圧（Ｖｃｃ（１／３））＞ＧＮＤ
となって第１のコンパレータ２５７の出力は"Ｌ"レベルになり、ウインドウコンパレータ２５３の出力である電源スイッチ制御信号Ｆは"Ｌ"レベルになる。この結果、電源スイッチ２６０においてブランチ機器１０への電源供給はＯＦＦ状態になる。
【００６９】
（６．プルアップ抵抗３０とショート抵抗４０の両方が接続されていない場合）
この場合は、５．ブランチ機器１０が接続されていない場合に相当するため、電源スイッチ２６０においてブランチ機器１０への電源供給はＯＦＦ状態になる。
【００７０】
以上のように、本実施形態のディスプレイ装置２００によれば、レベル評価回路２５０にて、評価対象である接続点ｊの電圧を２種類の基準電圧との比較により評価することによって、接続されたブランチ機器１０がディスプレイ装置２００から電源供給を必要とする機器であるかどうかを判定することにより、判定のためのステップ数を大幅に削減することができる。すなわち、典型例においては、機器接続／電源ＯＮ検出部１３０によるブランチ機器１０の接続の有無の検出結果やブランチ機器１０の電源ＯＮ／ＯＦＦ状態の検出結果などに応じた複雑な分岐処理（図２）を必要としたが、本実施形態のディスプレイ装置２００では、そのような分岐処理は不要であり、図４に示したように、ディスプレイ装置２００の電源ＯＮに伴い判定制御信号Ｅを"Ｌ"レベルにするように切り替えるだけで適正な判定結果を得ることができる。したがって、典型例に比較して高速な判定が可能になり、特にブランチ機器１０がディスプレイ装置２００から電源の供給を受ける必要のある機器である場合、ディスプレイ装置２００の電源ＯＮからブランチ機器１０が起動されるまでの時間を短縮できる。
【００７１】
＜第２の実施形態＞
次に、本発明の第２の実施形態を説明する。
第２の実施形態は、上記の第１の実施形態のディスプレイ装置２００に、ブランチ機器１０の接続／切り離し時やブランチ機器１０の電源ＯＮ／ＯＦＦの切り替え時などに接続点ｊの電位が"Ｈ"レベルから"Ｌ"レベルなどに大きく変動した場合にレベル評価回路２５０の出力からその急激な変動成分を排除するために、レベル評価回路２５０の後段に遅延回路を付加したものである。
【００７２】
図５は、本発明の第２の実施形態に係るディスプレイ装置とこれに接続されるブランチ機器のDisplayPort接続部分の構成を示す図である。
同図に示すように、本実施形態に係るディスプレイ装置２００ａにおいて、レベル評価回路２５０と電源スイッチ２６０との間には遅延回路２７０が設けられている。
【００７３】
図６は遅延回路２７０の構成例を示す図である。この遅延回路２７０は、レベル評価回路２５０内の保護抵抗２５９ａと合せてローパスフィルタを構成するコンデンサ２７２とコンパレータ２７３とを有する。コンパレータ２７３の正の入力端には上記のローパスフィルタの出力が印加される。また、コンパレータ２７３の負の入力端には、抵抗２７４と抵抗２７５との比によってつくられる所定の基準電圧が印加される。そしてコンパレータ２７３はローパスフィルタの出力電圧が所定の基準電圧よりも高いときに"Ｈ"レベルの電源スイッチ制御信号Ｆを出力する。また、コンパレータ２７３の出力端と電源スイッチ２６０との間の接続点ｑはプルアップ抵抗２７６を通じて内部電源Ｖｃｃと接続される。
【００７４】
このような構成を有する遅延回路２７０によって、ブランチ機器１０の接続／切り離し時やブランチ機器１０の電源ＯＮ／ＯＦＦの切り替え時などに接続点ｊの電位が大きく変動した場合にレベル評価回路２５０の出力からその急激な変動成分を排除することができ、信頼性の向上を図ることができる。
【００７５】
＜第３の実施形態＞
第１の実施形態の説明で示したように、ウインドウコンパレータ２５３において評価対象の電圧を２種類の基準電圧との比較により評価するために、レベル評価回路２５０内のプルダウン抵抗２５２の抵抗値は、ブランチ機器１０に接続されるプルアップ抵抗３０の抵抗値より十分大きい値とされている。しかし、この場合、ウインドウコンパレータ２５３内のリーク電流がウインドウコンパレータ２５３の動作へ影響する程度となるおそれがある。
【００７６】
第３の実施形態のディスプレイ装置は、そのようなリーク電流によるウインドウコンパレータ２５３の動作への影響を阻止する対策が講じられたものである。
【００７７】
図７は、本発明の第３の実施形態に係るディスプレイ装置とこれに接続されるブランチ機器のDisplayPort接続部分の構成を示す図である。
同図に示すように、レベル評価回路２５０ｂ内の保護抵抗２５１とプルダウン抵抗２５２との互いの接続点ｊとウインドウコンパレータ２５３との間にバッファ回路２８０が接続されている。
【００７８】
図８はバッファ回路２８０の構成例を示す図である。このバッファ回路２８０は、ＮＰＮトランジスタ２８１、ＰＮＰトランジスタ２８２、抵抗２８３、抵抗２８４などで構成される。ＮＰＮトランジスタ２８１のベースは、保護抵抗２５１とプルダウン抵抗２５２との互いの接続点ｊと接続される。ＮＰＮトランジスタ２８１のコレクタは内部電源Ｖｃｃと接続される。ＮＰＮトランジスタ２８１のエミッタは抵抗２８３を介してＧＮＤと接続され、ＮＰＮトランジスタ２８１のエミッタと抵抗２８３との互いの接続点ｍはＰＮＰトランジスタ２８２のベースと接続される。ＰＮＰトランジスタ２８２のエミッタは抵抗Ｒ２８０を介して内部電源Ｖｃｃと接続される。ＰＮＰトランジスタ２８２のコレクタはＧＮＤと接続される。そして、ＰＮＰトランジスタ２８２のエミッタと抵抗２８０との互いの接続点ｎはウインドウコンパレータ２５３の入力端と接続される。
【００７９】
このような構成を有するバッファ回路２８０をレベル評価回路２５０内の保護抵抗２５１とプルダウン抵抗２５２との互いの接続点ｊとウインドウコンパレータ２５３との間に設けることによって、リーク電流によるウインドウコンパレータ２５３への入力電圧の変動を抑制することができ、レベル評価回路２５０の誤動作を防止することができる。
【００８０】
＜第４の実施形態＞
ディスプレイ装置の状態として、一般的に、通常のパワーＯＮの状態とは別にスタンバイ状態がある。スタンバイ状態では、例えば、黒画面が表示されたり、画面が消灯状態となったりすることで、省電力を図ることができる。パワーＯＮ状態からスタンバイ状態の移行は、例えば、ブランチ機器を通じて、ソース機器からのスタンバイ状態への移行のためのコマンドの入力や、設定時間連続してブランチ機器から信号入力が発生しないことなどの検出をもって行われる。逆にスタンバイ状態にあるとき、ソース機器からのスタンバイ状態から通常パワーＯＮの状態への復帰のためのコマンドの入力や、ブランチ機器を通じて、ソース機器からの信号入力が発生したことやディスプレイ装置の電源ON操作などによって、ディスプレイ装置はパワーＯＮ状態に復帰する。
【００８１】
このようにスタンバイ状態への切り替え可能なディスプレイ装置では、電源ＯＮ状態とスタンバイ状態との間での移行に伴い、マイクロコンピュータが次のような制御を行うようにしてもよい。
【００８２】
１．マイクロコンピュータは、電源ＯＮ状態からスタンバイ状態への移行時には、ブランチ機器への電源供給がＯＦＦになるように判定制御信号Ｅのレベルを"Ｈ"に設定する。これによりブランチ機器またはソース機器が非稼動状態になったとき、ディスプレイ装置からブランチ機器への無駄な電源供給を停止することかできる。
２．マイクロコンピュータは、スタンバイ状態から電源ＯＮ状態への移行時には、判定制御信号Ｅのレベルを"Ｌ"に切り替えることによって、ブランチ機器がディスプレイ装置からの電源供給を必要とする機器であるかどうかの判定を再度実行する。これにより、ソース機器がディスプレイ装置から電源供給を受ける必要のある機器である場合に、そのソース機器が稼動状態になったとき、ディスプレイ装置からブランチ機器への電源の供給を自動的に再開することができる。
【００８３】
＜変形例１＞
図１に示した典型的なディスプレイ装置がDisplayPortを含む複数の種類の規格（例えばＤＶＩ：Digital Visual Interface、ＨＤＭＩ：High-Definition Multimedia Interfaceなど）の映像インタフェースを有する場合を考える。このようなディスプレイ装置において、ブランチ機器１０の接続にDisplayPort以外の規格のインタフェースが使用される場合にも、DisplayPortレシーバＩＣ１３１がブランチ機器１０の接続の有無を常時監視するように動作するために無駄な電力が消費されてしまう。このような無駄な電力の消費を抑える手段について説明する。
【００８４】
図９は、本手段を図１の典型的なディスプレイ装置１００に採用した場合のフローチャートである。
ディスプレイ装置１００の電源がＯＮになると、マイクロコンピュータ１２０、機器接続／電源ＯＮ検出部１３０内のDisplayPortレシーバＩＣ１３１をはじめとする各部に動作電源が供給された状態になる。マイクロコンピュータ１２０は、ディスプレイ装置１００の電源がＯＮになったことを検出すると（ステップＳ１０１のＹ）、ディスプレイ装置１００の内部設定においてDisplayPort端子の使用が選択されているかどうかを判定する（ステップＳ３０１）。
【００８５】
マイクロコンピュータ１２０は、DisplayPort端子の使用が選択されていることを判定すると（ステップＳ３０１のＹ）、判定制御信号Ｅのレベルを"Ｈ"から"Ｌ"に切り替えた後（ステップＳ３０２）、ブランチ機器１０が接続されているかどうかの検出を機器接続／電源ＯＮ検出部１３０に実行させる（ステップＳ１０２）。以降の動作は図２と同様である。
【００８６】
一方、マイクロコンピュータ２２０は、DisplayPort端子の使用が選択されていないことを判定すると（ステップＳ３０１のＮ）、DisplayPortレシーバＩＣ１３１をパワーダウンモードに設定する（ステップＳ３０３）。DisplayPortレシーバＩＣ１３１は、パワーダウンモードになると、DisplayPortレシーバＩＣ１３１にディスプレイ装置１００のパワーボタンが押されて電源ＯＮの状態になっていても、動作が停止した状態になる。したがって、DisplayPortレシーバＩＣ１３１の電力消費量はほぼ零となる。この後、判定制御信号Ｅのレベルが"Ｈ"ならそのまま、"Ｌ"であるなら"Ｈ"に切り替える（ステップＳ３０４）。この後、マイクロコンピュータ１２０はディスプレイ装置１００の電源ＯＦＦの検出に移行する。
【００８７】
＜変形例２＞
変形例１の処理は第１の実施形態のディスプレイ装置２００にも適用可能である。図１０に変形例１の処理を第１の実施形態のディスプレイ装置２００に適用した場合のフローチャートを示す。
【００８８】
マイクロコンピュータ２２０は、ディスプレイ装置２００の電源がＯＮになったことを検出すると（ステップＳ２０１のＹ）、ディスプレイ装置２００の内部設定においてDisplayPort端子の使用が選択されているかどうかを判定する（ステップＳ４０１）。
【００８９】
マイクロコンピュータ１２０は、DisplayPort端子の使用が選択されていることを判定すると（ステップＳ４０１のＹ）、判定制御信号Ｅのレベルを"Ｈ"から"Ｌ"に切り替える（ステップＳ２０２）。この後、マイクロコンピュータ２２０はディスプレイ装置２００の電源がＯＦＦになったことを検出すると（ステップＳ２０３のＹ）、判定制御信号Ｅのレベルを"Ｌ"から"Ｈ"に切り替える（ステップＳ２０４）。
【００９０】
一方、マイクロコンピュータ２２０は、DisplayPort端子の使用が選択されていないことを判定すると（ステップＳ４０１のＮ）、DisplayPortレシーバＩＣ２３１をパワーダウンモードに設定する（ステップＳ４０２）。続いてマイクロコンピュータ２２０は、判定制御信号Ｅのレベルが"Ｈ"ならそのまま、"Ｌ"であるなら"Ｈ"に切り替える（ステップＳ４０３）。この後、マイクロコンピュータ２２０はディスプレイ装置２００の電源ＯＦＦを検出する処理（ステップＳ２０４）に移行する。
【００９１】
ディスプレイ装置２００の電源ＯＮの間に、ディスプレイ装置２００の内部設定においてDisplayPort端子を使用するかどうかの内部設定が変更されることがある。マイクロコンピュータ２２０は、ディスプレイ装置２００の電源ＯＮの間にDisplayPort端子を使用する設定への変更が発生した場合には、直ちに判定制御信号Ｅのレベルを"Ｈ"から"Ｌ"に変更して（ステップＳ２０２）、ブランチ機器１０の電源供給の要否判定を開始する。また、ディスプレイ装置２００の電源ＯＮの間にDisplayPort端子を使用する設定から使用しない設定への変更が発生した場合には、直ちにDisplayPortレシーバＩＣ２３１をパワーダウンモードに設定し（ステップＳ４０２）、判定制御信号Ｅのレベルを"Ｌ"から"Ｈ"に切り替える（ステップＳ４０３）。
【００９２】
このように変形例１および変形例２のディスプレイ装置によれば、DisplayPort端子を使用しないように内部設定されている場合、ディスプレイ装置の電源がＯＮになったときにDisplayPortレシーバＩＣ１３１，２３１をパワーダウンモードに設定することで無駄な電力消費をなくすことができる。
【００９３】
＜変形例３＞
上記の実施形態においては、ブランチ機器への電源供給のＯＮ／ＯＦＦを電源スイッチを用いて切り替えるようにしたが、電源スイッチに代えて電源ＩＣを用いてもよい。また、電源スイッチに代えて電源ＩＣを用いることで、電源スイッチに印加されている電圧Vｃｃを違う電源電圧Vｃｃ２に接続する事が可能となる。
【００９４】
なお、電源スイッチも電源ＩＣも、動作ON状態にする動作制御信号の論理レベルとして、"Ｈ"のものと"Ｌ" のものが存在しており、それらの選択に応じて、レベル評価回路２５０から入力される電源スイッチ制御信号Ｆの論理レベルと電源供給のＯＮ／ＯＦＦとの関係を任意に定義できるので、ウインドウコンパレータ２５３の第１のコンパレータ２５７および第２のコンパレータ２５８それぞれの入力端子の正負の関係を逆にすることができる。
【００９５】
なお、本発明の実施の形態は、上述した実施の形態に限定されるものではなく、本発明の要旨を逸脱しない範囲において種々の変更が可能である。
【符号の説明】
【００９６】
１０…ブランチ機器
１１…コネクタ
１３、１４…端子
３０…プルアップ抵抗
４０…ショート抵抗
２００…ディスプレイ装置
２０１…コネクタ
２０３、２０４…端子
２２０…マイクロコンピュータ
２４０…判定用信号供給回路
２４３…プルアップ抵抗
２５０…レベル評価回路
２５２…プルダウン抵抗
２５３…ウインドウコンパレータ
２６０…電源スイッチ
２７０…遅延回路
２８０…バッファ回路
【図１】
2012174203.tif 000003
【図２】
2012174203.tif 000004
【図３】
2012174203.tif 000005
【図４】
2012174203.tif 000006
【図５】
2012174203.tif 000007
【図６】
2012174203.tif 000008
【図７】
2012174203.tif 000009
【図８】
2012174203.tif 000010
【図９】
2012174203.tif 000011
【図１０】
2012174203.tif 000012